(57)【特許請求の範囲】
【請求項１】
複数のまくら木本体を連結部材で平行状態に連結し、接着剤によって接合して一体化されたまくら木であって、
前記連結部材は、長尺状の芯層部材と、当該芯層部材を補強する芯補強部材とを有し、
前記まくら木本体は、少なくとも中間層と、当該中間層よりも上方に位置する上部側まくら木部材と、下方に位置する下部側まくら木部材とを有し、
中間層は、複数のまくら木小片を有し、
上部側まくら木部材及び下部側まくら木部材は、長尺状であって、長手方向長さがまくら木本体の全長に渡る長さであると共に、長手側側面には長手方向に直交するように一部切り欠いた嵌合部が設けられ、
芯補強部材の端部側が、上部側まくら木部材及び下部側まくら木部材の嵌合部に嵌入されると共に、芯層部材の端部側が、中間層のまくら木小片同士の間に嵌入されていることを特徴とするまくら木。
【請求項２】
前記嵌合部におけるまくら木本体の長手方向に直交する長さが、まくら木本体における長手方向に直交する長さの１／７〜１／３であることを特徴とする請求項１に記載のまくら木。
【請求項３】
少なくとも上部側まくら木部材の嵌合部は、有底状の切り欠きであり、
当該上部側まくら木部材に嵌入される芯補強部材は、長手方向の断面形状がほぼＴ字型であり、
当該芯補強部材の両端に張り出した張出部が上部側まくら木部材の嵌合部に嵌入して、一体的に接合されることを特徴とする請求項１又は２に記載のまくら木。
【請求項４】
まくら木本体及び／又は連結部材には、表面の一部又は全部に繊維強化プラスチックにより形成された被覆層が設けられていることを特徴とする請求項１乃至３のいずれかに記載のまくら木。
【請求項５】
まくら木は、底面材を有し、
底面材は、連結部材の底面側及びまくら木本体における当該連結部材の長手方向延長上に設けられていることを特徴とする請求項１乃至４のいずれかに記載のまくら木。
【請求項６】
前記芯層部材と芯補強部材の各側面が並ぶ集合側面には、当該各側面に跨るように連結補強部材が設けられていることを特徴とする請求項１乃至５のいずれかに記載のまくら木。
【請求項７】
上部側まくら木部材の上面と、芯補強部材の上面とがほぼ同一の平面を形成していることを特徴とする請求項１乃至６のいずれかに記載のまくら木。
【請求項８】
少なくとも前記上部側まくら木部材と下部側まくら木部材は、耐摩耗性を備えた部材であることを特徴とする請求項１乃至７のいずれかに記載のまくら木。
【請求項９】
前記耐摩耗性を備えた部材は、長手方向に長繊維が配向する繊維強化樹脂で形成された樹脂板であることを特徴とする請求項８に記載のまくら木。
【請求項１０】
まくら木は、高摩擦性を備えた滑り止め部材を有し、
滑り止め部材がまくら木本体及び連結部材の底面に設けられていることを特徴とする請求項１乃至９のいずれかに記載のまくら木。
【請求項１１】
まくら木は、防振機能を果たす防振部材を有し、
防振部材は、少なくとも長繊維強化樹脂を備えており、まくら木本体及び連結部材の底面に設けられていることを特徴とする請求項２又は３に記載のまくら木。
【請求項１２】
まくら木は、レールを配した際に、当該レールの底面と連結部材及び／又はまくら木本体の上面との間に形成される間隔を埋めることが可能な空間充填材を有していることを特徴とする請求項１乃至１１のいずれかに記載のまくら木。
【請求項１３】
平行状態に連結されたまくら木本体のうち、少なくとも１つのまくら木本体が他のまくら木本体より長手方向に短い短まくら木本体であることを特徴とする請求項１乃至１２のいずれかに記載のまくら木。
【発明の詳細な説明】
【技術分野】
【０００１】
本発明は、レールを支持するまくら木に関するもので、特には、複数のまくら木本体を連結したまくら木に関するものである。
【背景技術】
【０００２】
従来より、レールを支持するまくら木には、木製やコンクリート製のものが広く用いられている。最近では、繊維強化硬質樹脂発泡体を素材として成形された樹脂製のまくら木が開発されており、高い耐久性を備えたまくら木が提供されている。
【０００３】
ところで、従来のまくら木は、長尺状の単体のまくら木本体をまくら木（以下、単体まくら木と言う）と呼んでおり、それぞれ個々の単体まくら木が、レールから伝わる列車の荷重や振動を道床に分散する役割を果たしている。
なお、道床にはバラスト（砕石等）やコンクリートを用いた構成があるが、以下の説明ではバラストを採用した構成で説明する。
【０００４】
ところで、レールの継ぎ目や分岐点（以下、継ぎ目等とも言う）に配されたまくら木は、他の箇所より列車の荷重や振動の影響を受け易いことが知られている。これにより、レールの継ぎ目等に配されたまくら木は、列車の荷重や振動の影響によりまくら木の上面に摩擦が生じ、その上面に極端なへこみが形成されたり、さらに、そのまくら木の直下では、バラストの圧密化により道床に空間が形成されたり、砕石自体が摩滅減少して道床に大きな空隙を形成する現象が起こる場合がある。これにより、列車の通過時に軌道が沈下したり、横ずれを起こすといった所謂「あおり現象」が発生する問題があった。
【０００５】
そこで、従来より、複数の単体まくら木を連結して一体化させて、列車の荷重や振動をより分散させて、上記問題を抑制する方策がとられてきた。
例えば、特許文献１では、断面形状がほぼ「Ｔ」字型の連結部材を用いて、まくら木本体同士を一体的に連結したまくら木が開示されている。
【先行技術文献】
【特許文献】
【０００６】
【特許文献１】特許第３５６９１０８号公報
【発明の概要】
【発明が解決しようとする課題】
【０００７】
しかしながら、特許文献１に記載の発明では、列車の荷重や振動の影響で、連結部材とまくら木本体の接合状態が崩壊してしまうという不満があった。即ち、連結部材は、まくら木本体の上面側に位置する上面連結材と、まくら木本体の下面側に位置する下面連結材と、上面連結材と下面連結材とを積層方向に繋ぐ中間連結材とを備えたもので、主にまくら木本体を上面連結材と下面連結材とで上下方向から挟み込んで接着剤等で両者を接合させる構成であるため、列車の荷重や振動により連結部材が撓み、接合面に剪断力等が生じてまくら木本体と連結部材との接合状態を崩壊させる問題があった。
【０００８】
そこで、本発明者らは、図１６に示すように、まくら木本体１０２及び連結部材１０３を上下方向に積層される３層（上部側層、中間層、下部側層）構造とし、まくら木本体１０２の各層と、連結部材１０３の各層が互いに接合し合う構成のまくら木１０１を試作した。具体的には、試作したまくら木１０１は、連結部材１０３の上部側層がまくら木本体１０２の上部側層の幅方向に貫通するように配され、連結部材１０３の中間層がまくら木本体１０２の中間層の幅方向に貫通するように配され、連結部材１０３の下部側層がまくら木本体１０２の下部側層の幅方向に貫通するように配されており、連結部材１０３とまくら木本体１０２は積層方向上下だけでなく、積層方向中間部においても一体化された構成とされている。
【０００９】
これにより、従来技術と比べて、まくら木本体１０２と連結部材１０３との一体性が高まるため、連結部材１０３は列車の荷重や振動により生じる撓みが抑制され、結果的にまくら木本体１０２と連結部材１０３との一体性が崩壊することが防止される。
ところが、試作したまくら木は、まくら木本体１０２における連結部材１０３が配される位置の強度が低下する不満があった。即ち、試作したまくら木１０１においては、連結部材１０３が配される位置のまくら木本体１０２は、連結部材１０３の接合部で断面の一部が不連続となるため、曲げ応力に対抗できる有効断面が部分的に欠落してしまい、まくら木本体１０２全体の曲げ剛性は低減してしまう。
従って、試作したまくら木１０１は、繰り返し生じる列車の荷重や振動により、まくら木本体１０２と連結部材１０３の接合部で曲げ破壊を起こしたような現象（接合の崩壊）が生じることが考えられ、結果的にまくら木本体１０２と連結部材１０３との一体性を破壊してしまう懸念がある。なお、曲げ破壊の他に剪断破壊も考えられるが、一般的には曲げ破壊が剪断破壊より先行するため、曲げ破壊を起こす数値を基準に設計される。
【００１０】
そこで、本発明では、上述した従来技術の問題に鑑み、まくら木本体と連結部材との高い一体性を確保しつつ、まくら木本体の曲げ剛性を十分確保したまくら木を提供することを課題とする。
【課題を解決するための手段】
【００１１】
上記課題を解決するための請求項１に記載の発明は、複数のまくら木本体を連結部材で平行状態に連結し、接着剤によって接合して一体化されたまくら木であって、前記連結部材は、長尺状の芯層部材と、当該芯層部材を補強する芯補強部材とを有し、前記まくら木本体は、少なくとも中間層と、当該中間層よりも上方に位置する上部側まくら木部材と、下方に位置する下部側まくら木部材とを有し、中間層は、複数のまくら木小片を有し、上部側まくら木部材及び下部側まくら木部材は、長尺状であって、長手方向長さがまくら木本体の全長に渡る長さであると共に、長手側側面には長手方向に直交するように一部切り欠いた嵌合部が設けられ、芯補強部材の端部側が、上部側まくら木部材及び下部側まくら木部材の嵌合部に嵌入されると共に、芯層部材の端部側が、中間層のまくら木小片同士の間に嵌入されていることを特徴とするまくら木である。
【００１２】
本発明のまくら木は、複数のまくら木本体を連結部材で一体的に連結する構造であり、複数層を備えた連結部材と、同じく複数層を備えたまくら木本体とが、積層方向上下だけでなく、積層方向中間部においても一体的に連結された構成を有する。例えば、連結部材とまくら木本体が共に３層構造（連結部材は芯層部材の上部及び下部に芯補強部材を配する）であれば、上部側まくら木部材と芯層部材の上部に位置する芯補強部材とを一体化でき、下部側まくら木部材と芯層部材の下部に位置する芯補強部材とを一体化でき、中間層と芯層部材とを一体化できるため、まくら木全体としては、まくら木本体が積層方向上下だけでなく、中間部においても連結部材と一体的に接合される。これにより、まくら木本体と連結部材との一体性が強化されるため、列車の荷重や振動により、両者の接合が崩壊してしまうことが抑制される。即ち、本発明のまくら木によれば、列車の荷重や振動により、軌道が「あおり現象」を生じることが殆どない。
【００１３】
また、本発明のまくら木では、上部側まくら木部材の長手側側面と下部側まくら木部材の長手側側面に、幅方向（長手方向に直交する方向）に切り欠いた嵌合部が設けられており、この嵌合部に連結部材の芯補強部材の端部側を嵌入すると共に、中間層のまくら木小片同士の間に芯層部材を嵌入して、まくら木本体と連結部材とを一体的に接合している。具体的には、本発明では、上部側まくら木部材及び下部側まくら木部材に設けられた嵌合部は、先に説明した試作したまくら木のように、幅方向に貫通した構成とされておらず、幅方向に一部だけ切り欠いた構成とされているため、上部側まくら木部材及び下部側まくら木部材の曲げ応力に対抗できる有効断面を大きく確保することができる。これにより、まくら木本体が有効断面を欠落しない構成とすることができるため、まくら木本体自体に列車の荷重や振動による曲げ応力に対抗できる曲げ剛性を備えることができる。即ち、本発明のまくら木は、まくら木本体が繰り返し受ける列車の荷重や振動により、まくら木本体と連結部材の接合部が曲げ破壊を起こしたような状態（接合の崩壊）になりにくい構成であるため、曲げ応力による一体性の崩壊は起こりにくい。
従って、本発明のまくら木によれば、まくら木本体と連結部材との高い一体性を確保しつつ、まくら木本体自体の曲げ剛性を十分確保できる。
【００１４】
請求項２に記載の発明は、前記嵌合部におけるまくら木本体の長手方向に直交する長さが、まくら木本体における長手方向に直交する長さの１／７〜１／３であることを特徴とする請求項１に記載のまくら木である。
【００１５】
かかる構成によれば、連結部材とまくら木本体を確実に接続しつつ、まくら木本体が曲げ応力に対抗し得る有効断面を最大限に確保させることができる。
【００１６】
請求項３に記載の発明は、少なくとも上部側まくら木部材の嵌合部は、有底状の切り欠きであり、当該上部側まくら木部材に嵌入される芯補強部材は、長手方向の断面形状がほぼＴ字型であり、当該芯補強部材の両端に張り出した張出部が上部側まくら木部材の嵌合部に嵌入して、一体的に接合されることを特徴とする請求項１又は２に記載のまくら木である。
【００１７】
かかる構成によれば、少なくとも上部側まくら木部材の嵌合部を有底状の切り欠きとしたため、必要以上にまくら木本体の有効断面が小さくならない。即ち、本発明によれば、同じ厚さのまくら木本体であっても、曲げ応力に対応できる有効断面をより大きく確保することができる。これにより、この構成のまくら木本体であれば、まくら木自体の全厚を大きくしなくても、まくら木本体の有効断面を十分確保できる。換言すると、まくら木自体の全厚を大きくしなくても一定以上の強度を確保できるため、道床の厚みに余裕がない場合であっても、敷設可能である。
【００１８】
請求項４に記載の発明は、まくら木本体及び／又は連結部材には、表面の一部又は全部に繊維強化プラスチックにより形成された被覆層が設けられていることを特徴とする請求項１乃至３のいずれかに記載のまくら木である。
【００１９】
かかる構成によれば、まくら木本体や連結部材の表面に繊維強化プラスチックの被覆層が設けられているため、まくら木本体や連結部材に木材やコンクリート等を採用した場合であっても各部材の強度を向上させることができる。また、まくら木本体や連結部材に繊維強化硬質樹脂発泡体を用いた場合であっても、さらなる強度の向上を図ることができる。なお、繊維強化プラスチックには、GFRP（Grass Fiber Reinforced Plastics）が推奨される。
【００２０】
請求項５に記載の発明は、まくら木は、底面材を有し、底面材は、連結部材の底面側及びまくら木本体における当該連結部材の長手方向延長上に設けられていることを特徴とする請求項１乃至４のいずれかに記載のまくら木である。
【００２１】
かかる構成によれば、まくら木の底面に連結部材に沿って底面材が設けられているため、連結部材とまくら木本体の接合部の強化を図ることができる。即ち、底面材を嵌合部を覆うほどの長さに設定すれば、容易に連結部材とまくら木本体の一体性を強化することができる。また、底面材は、まくら木の底面から突出するため、道床に敷設した際に、底面材が道床のバラストなどに引っ掛かり、ストッパーの役割を果たし、まくら木が横滑りする等の「あおり現象」をより確実に防止することができる。
【００２２】
請求項６に記載の発明は、前記芯層部材と芯補強部材の各側面が並ぶ集合側面には、当該各側面に跨るように連結補強部材が設けられていることを特徴とする請求項１乃至５のいずれかに記載のまくら木である。
【００２３】
かかる構成によれば、連結補強部材が、芯層部材と芯補強部材の各側面が並ぶ集合側面に設けられているため、連結部材に生じる撓みを小さくできる。即ち、連結部材の撓みが原因で起こるまくら木本体と連結部材との接合状態の崩壊をより確実に防止することができる。
【００２４】
ここで、まくら木の取り替え作業においては、作業前後における軌道の調節が非常に重要であることが知られている。特に、連結部材を用いてまくら木本体同士を連結した場合、連結部材とまくら木本体との上面の位置がずれていると高度な軌道調節が必要な場合がある。このような作業は、安全の面から見ると非常に重要であるが、作業時間を要する非常に厄介な作業であるため、夜間の短い時間の中で行う作業としては不向きである。
そこで、請求項７に記載の発明は、上部側まくら木部材の上面と、芯補強部材の上面とがほぼ同一の平面を形成していることを特徴とする請求項１乃至６のいずれかに記載のまくら木である。
【００２５】
かかる構成によれば、上部側まくら木部材の上面と芯補強部材の上面とがほぼ同一の平面を形成しているため、まくら木の取替作業時において、高度な軌道調節を必要としない。即ち、夜間などの限られた短い時間の中であっても、長距離に渡って効率的に作業を行うことができる。
【００２６】
請求項８に記載の発明は、少なくとも前記上部側まくら木部材と下部側まくら木部材は、耐摩耗性を備えた部材であることを特徴とする請求項１乃至７のいずれかに記載のまくら木である。
【００２７】
かかる構成によれば、上部側まくら木部材と下部側まくら木部材とが、耐摩耗性を備えた部材であるため、繰り返し受ける列車の荷重や振動により生じる摩擦で形成されるへこみなどが抑制できる。これにより、レールとまくら木本体との接続部に生じる不具合や、道床とまくら木本体との間に空間ができるなどの不具合の発生を防止することができる。
【００２８】
前記耐摩耗性を備えた部材は、長手方向に長繊維が配向する繊維強化樹脂で形成された樹脂板であることが望ましい。（請求項９）
【００２９】
請求項１０に記載の発明は、まくら木は、高摩擦性を備えた滑り止め部材を有し、滑り止め部材がまくら木本体及び連結部材の底面に設けられていることを特徴とする請求項１乃至９のいずれかに記載のまくら木である。
【００３０】
かかる構成によれば、まくら木本体及び連結部材の底面に高摩擦性を備えた滑り止め部材が設けられているため、まくら木全体が道床に対して滑りずれることを抑制することができる。
【００３１】
請求項１１に記載の発明は、まくら木は、防振機能を果たす防振部材を有し、防振部材は、少なくとも長繊維強化樹脂を備えており、まくら木本体及び連結部材の底面に設けられていることを特徴とする請求項２又は３に記載のまくら木である。
【００３２】
かかる構成によれば、まくら木本体及び連結部材の底面に、防振部材が設けられているため、列車の通過により発生する振動を抑制できる。即ち、防振効果により振動による騒音を抑制できる。従って、本発明によれば、街中に敷設されたとしても、住宅環境を乱すことがない。
【００３３】
一般的に、レールはまくら木本体に支持されるため、当該まくら木本体間のレールは宙に浮いた状態となり、列車の荷重等により撓む。しかしながら、このようなレールの撓みは、まくら木に過負荷を与えるため、まくら木の耐久性を低下させる可能性がある。
また、列車が通過する度に、レールやまくら木は振動するため、まくら木本体とレールが宙に浮いた状態であれば、振動により発生する騒音が顕著となることが懸念される。
そこで、請求項１２に記載の発明は、まくら木は、レールを配した際に、当該レールの底面と連結部材及び／又はまくら木本体の上面との間に形成される間隔を埋めることが可能な空間充填材を有していることを特徴とする請求項１乃至１１のいずれかに記載のまくら木である。
【００３４】
かかる構成によれば、空間充填材によりレール底面と連結部材上面との間や、レール底面とまくら木本体との間を埋めることができるため、レールがまくら木本体同士の間で下方に撓むことを防止できる。即ち、本発明のまくら木は、レールの撓みによる過負荷が生じなくなるため、耐久性が加速度的に低下することがなく、長期にわたって使用することができる。
また、空間充填材として、例えば、防振機能を備えた部材を採用することで、列車の通過により発生する振動音を低減することができる。
【００３５】
ところで、コンクリート道床では、排水等を目的とした溝が、平行に並んだレールを横断するように形成されている場合がある。特に、その溝が、レールに対して直交していない場合で、まくら木がその溝の上部に位置する場合は、列車の荷重や振動により、まくら木の固定状態が不安定となり、まくら木の「あおり現象」が解消されない懸念があった。そこで、そのような場所には、短いまくら木を単独で敷設する方策が考えられるが、列車の荷重や振動による影響が大きく、「あおり現象」が解消できない。
そこで、請求項１３に記載の発明は、平行状態に連結されたまくら木本体のうち、少なくとも１つのまくら木本体が他のまくら木本体より長手方向に短い短まくら木本体であることを特徴とする請求項１乃至１２のいずれかに記載のまくら木である。
【００３６】
かかる構成によれば、短まくら木本体はまくら木本体と一体的に連結されたまくら木であるため、単体の「短まくら木」よりも列車の荷重や振動による影響が小さい。
また、コンクリート道床に形成された排水等を目的とした溝が、レールに対して交差する（直交を含まない）ように形成された場所があったとしても、まくら木がその溝の上部に敷設されることがなくなる。
具体的には、例えば、連結される２つのまくら木本体が同じ長さであれば、一方のまくら木本体がコンクリート道床の溝上部に敷設されるが、その一方のまくら木本体が溝を横断しない程度の長さの短まくら木本体であれば、溝の上部にまくら木本体が載置されることが防止できる。従って、本発明のまくら木によれば、溝が形成されたコンクリート道床にまくら木を敷設する状況であっても、「あおり現象」を阻止することができる。
【発明の効果】
【００３７】
本発明のまくら木は、まくら木本体と連結部材を積層構造とし、両者を積層方向上下からだけでなく、積層方向中間部においても連結した構造としたため、まくら木本体と連結部材の一体性を強固なものとすることができる。これにより、列車の荷重や振動により、まくら木本体と連結部材の一体性の崩壊が防止できる。また、まくら木本体の嵌合部は、まくら木本体の長手方向に直交する方向に一部だけ切り欠いた構成であるため、まくら木本体の高い曲げ剛性を確保することができる。
【図面の簡単な説明】
【００３８】
【図１】本発明の第１実施形態に係るまくら木を示す斜視図である。
【図２】図１のまくら木を示す分解斜視図である。（第１段階）
【図３】図１のまくら木を示す分解斜視図である。（第２段階）
【図４】図１のまくら木を示す分解斜視図である。（第３段階）
【図５】図１のまくら木を示す分解斜視図である。（第４段階）
【図６】図１のまくら木を示す図で、（ａ）は、平面図、（ｂ）は、（ａ）のＡ−Ａ断面図、（ｃ）は、側面図である。
【図７】第２実施形態のまくら木を示す図で、（ａ）は、平面図、（ｂ）は、（ａ）のＡ−Ａ断面図、（ｃ）は、側面図である。
【図８】第３実施形態のまくら木を示す図で、（ａ）は、平面図、（ｂ）は、（ａ）のＡ−Ａ断面図、（ｃ）は、側面図である。
【図９】第４実施形態のまくら木を示す図で、（ａ）は、平面図、（ｂ）は、（ａ）のＡ−Ａ断面図、（ｃ）は、側面図である。
【図１０】第５実施形態のまくら木を示す断面図である。
【図１１】図１０のまくら木の変形例を示す断面図である。
【図１２】図１０のまくら木の別の変形例を示す断面図である。
【図１３】第６実施形態のまくら木を示す（ａ）は、平面図、（ｂ）は、（ａ）のＡ−Ａ断面図、（ｃ）は、側面図である。
【図１４】空間充填材と防振部材の双方を備えたまくら木を示す断面図である。
【図１５】図１４のまくら木の変形例を示す断面図である。
【図１６】試作したまくら木を示す図で、（ａ）は、平面図、（ｂ）は、（ａ）のＡ−Ａ断面図、（ｃ）は、側面図である。
【図１７】短まくら木本体を採用したまくら木の平面図である。
【図１８】図１３のまくら木を敷設した状態を示す概念図である。
【図１９】芯層部材の長手方向長さを短くした変形例のまくら木を示す断面図である。
【発明を実施するための形態】
【００３９】
次に、本発明の第１実施形態のまくら木１について説明する。なお、以下の説明では、上下左右の位置関係は、特に断りがない限り通常の設置状態を基準として説明する。
【００４０】
本実施形態のまくら木１は、図１に示すように、平行に並べられた２組のまくら木本体２と、それらを一体的に連結する２組の連結部材３とで構成されたものである。本実施形態では、まくら木本体２及び連結部材３にガラス長繊維で強化されたポリウレタン樹脂製の発泡成形体（ガラス長繊維強化プラスチック発泡体：Fiber reinforced Foamed Urethane）が用いられている。なお、このポリウレタン樹脂性の発泡成形体は、まくら木に通常用いられる木材等と比べると耐摩耗性や耐久性に優れた部材である。
【００４１】
まくら木本体２は、３層の積層構造であり、上下層はそれぞれ長尺状の板部材で形成された上部側まくら木部材５、下部側まくら木部材６で構成され、中間層４は小片状の板部材で形成された３つのまくら木小片７で構成されている。即ち、まくら木本体２は、上部から下方に向かって順番に、上部側まくら木部材５、中間層４、下部側まくら木部材６が積層されている。なお、各層を構成するガラス長繊維の配向方向は、全て同方向であり、具体的には上下層の長手方向に向かって配向している。なお、上部側まくら木部材５と下部側まくら木部材６は、天地逆という配置の違いがあるが、構成はほぼ同じであるため、一方を説明して他方の説明を省略する。
【００４２】
上部側まくら木部材５には、図４（下部側まくら木部材６は図２）に示すように、長手方向に直交する方向（幅方向）に一部だけ切り欠いた２つの上部側嵌合部８（下部側まくら木部材６では下部側嵌合部９）と、厚み方向（積層方向）に貫通した１２個の貫通孔１０が設けられている。
２つの上部側嵌合部８は共に、上部側まくら木部材５における一方の長手側側面に設けられており、１つの嵌合底面８ａと、互いに隣接する３つの嵌合側面８ｂにより形成されている（下部側嵌合部９は、１つの嵌合上面９ａと、互いに隣接する３つの嵌合側面９ｂにより形成）。即ち、上部側嵌合部８の深さは、上部側まくら木部材５の厚みより浅い。また、上部側嵌合部８は、後述する連結部材３の上部芯補強部材１３の端部側が嵌り込む程度の大きさを備えている。即ち、上部側嵌合部８における幅方向（上部側まくら木部材５における長手方向）の長さは、上部芯補強部材１３の幅とほぼ等しい。また、本実施形態のまくら木１では、上部側嵌合部８の奥行き（上部側まくら木部材５における幅方向の長さ）は、上部側まくら木部材５の全幅に対して１／７〜２／５（好ましくは１／５〜１／３）を乗じた長さに設定されている。逆を言えば、連結部における上部側まくら木部材５の断面積は、上部側まくら木部材５の全幅に対して少なくとも２／３〜４／５を乗じた長さを有した断面積である。即ち、本実施形態のまくら木１では、まくら木本体２自体に列車の荷重や振動による曲げ応力に対抗できる曲げ剛性を備えることができる。即ち、本実施形態のまくら木１は、まくら木本体２が繰り返し受ける列車の荷重や振動により、曲げ破壊しにくい構成であるため、曲げ応力による一体性の崩壊は起こりにくい。
【００４３】
貫通孔１０は、図４に示すように、断面形状がほぼ円形の孔であり、ほぼ同径の接続ピン１１が挿通され、各まくら木本体２における層同士や、まくら木本体２と連結部材３とを接合するためのものである。なお、貫通孔１０は、まくら木１を仮組した後に電動ドリルなどを用いて所定の位置に形成される。また、接続ピン１１（図１，５）は、まくら木本体２と同じ材質であるポリウレタン樹脂製ものが好ましい。
【００４４】
中間層４は、図３に示すように、３つのまくら木小片７を有し、そのまくら木小片７は、まくら木本体２の長手方向端部側に位置する２つの端部小片１６と、その端部小片１６との間に配される１つの中間小片１７で構成されている。また、この３つのまくら木小片７は、隙間なく連続して長尺状に並べると、上部側まくら木部材５や下部側まくら木部材６の長手方向長さより短い。即ち、中間層４は、２つの端部小片１６の間に挟まれるように中間小片１７が位置すると共に、その中間小片１７と端部小片１６とを一定の間隔を空けて配し、さらにその間隔に芯層部材１２の端部側を嵌入して隙間が埋められて、上部側まくら木部材５や下部側まくら木部材６とほぼ同じ長尺長さとされる。即ち、中間小片１７と端部小片１６との間隔は、芯層部材１２の幅とほぼ同じに設定されている。
なお、端部小片１６には２個、中間小片１７には４個の貫通孔１０が設けられている（まくら木小片７には合計８個の貫通孔１０）。
【００４５】
連結部材３は、まくら木本体２と同様、３層の積層構造であり、長尺状の板部材で形成さた芯層部材１２と、芯層部材１２を積層方向上下から補強する上部芯補強部材１３、下部芯補強部材１５で構成されている。即ち、連結部材３は、上部から下方に向かって順番に、上部芯補強部材１３、芯補強部材１２、下部芯補強部材１５が積層されている。なお、各層を構成するガラス長繊維の配向方向は、全て同方向であり、具体的には芯層部材１２の長手方向に向かって配向している。なお、上部芯補強部材１３と下部補強部材１５は、天地逆という配置の違いがあるが、構成はほぼ同じであるため、一方を説明して他方の説明を省略する。
【００４６】
芯層部材１２は、前記したように、端部側がまくら木本体２の芯部材連結空間１８に嵌入されて中間層４の一部を形成するもので、上部芯補強部材１３や下部芯補強部材１５よりも長手方向長さが長い。また、図３に示すように、芯層部材１２には、厚み方向（積層方向）に貫通した７個の貫通孔２０が設けられている。貫通孔２０は、図３に示すように、断面形状がほぼ円形の孔であり、ほぼ同径の接続ピン１１（図１，５）が挿通され、各連結部材３における層同士やまくら木本体２と連結部材３とを接合するためのものである。なお、貫通孔２０も、前記貫通孔１０同様、まくら木１を仮組した後に電動ドリルなどを用いて所定の位置に形成される。
【００４７】
上部芯補強部材１３は、図４（下部芯補強部材１５は図２）に示すように、長手方向の断面形状がほぼ「Ｔ」字型であり、長手方向両端に張り出した張出部１３ａと、芯層部材１２側（図４の下側）に突出した突出部１３ｂとを有する。即ち、まくら木本体２同士を連結させる際には、上部芯補強部材１３は、張出部１３ａが上部側まくら木部材５の上部嵌合部８（下部芯補強部材１５であれば下部側まくら木部材６の下部嵌合部９）に嵌入され、突出部１３ｂが芯層部材１２に当接するように配置される。このとき、張出部１３ａの底面と上部嵌合部８の嵌合底面８ａ（下部芯補強部材１５であれば張出部１５ａの上面と下部嵌合部９の嵌合上面９ａ）は当接状態となる。即ち、上部芯補強部材１３の長手方向長さ（一方の張出部１３ａの端部から他方の張出部１３ａの端部までの長さ）は芯層部材１２の長手方向長さより短く、上部芯補強部材１３における突出部１３ｂの厚みは、上部側まくら木部材１３の全体の厚みから上部嵌合部８の深さを除いた長さにほぼ等しい。さらに、上部側まくら木部材５と上部芯補強部材１３は隙間なく接合されるため、上部芯補強部材１３における突出部１３ｂの長手方向長さは、接合するまくら木本体２同士の間隔にほぼ等しい。
また、上部芯補強部材１３には、厚み方向に貫通した５個の貫通孔２０と、側面に３つの固定穴２３が設けられている。なお、固定穴２３は、後述する連結補強部材２１を固定する接続ピン２２が挿通される穴である。
【００４８】
また、本実施形態のまくら木１では、連結部材３の剛性をより強化するために、連結補強部材２１が設けられている。連結補強部材２１は、図５に示すように、連結部材３の各層の側面が集合する集合側面に配され、各層に跨るように接合されている。これにより、連結部材３は、列車の荷重や振動により生じる撓みが小さくなるため、連結部材３の撓みが原因で起こるまくら木本体２と連結部材３との接合状態の崩壊をより確実に防止することができる。
また、連結補強部材２１は、厚み方向に貫通した６つの貫通孔２２が設けられており、その貫通孔２２に接続ピン２５が挿通されて連結部材３に固定される。
【００４９】
次に、第１実施形態に係るまくら木１の組み立て方について説明する。
【００５０】
本実施形態１のまくら木１は、図１に示すように、平行に並べられた２組のまくら木本体２が２組の連結部材３を用いて一体的に接合されて井桁構造とされるものである。
具体的には、本実施形態のまくら木１は、下部側又は上部側から各部材を積層しながら組み立てて接合する構造である。即ち、図２に示すように、２本の下部側まくら木部材６を一定の間隔を空けて配置し、底面側に下部嵌合部９が向くように配する。このとき、下部側まくら木部材６同士は、２組の下部嵌合部９が互いに向き合うように配される。そして、下部芯補強部材１５の張出部１５ａを各下部嵌合部９に嵌入して嵌合状態すると共に、下部芯補強部材１５の突出部１５ｂの短手側側面を下部側まくら木部材６の長手側側面に当接するように配置する。なお、このとき、下部側まくら木部材６と下部芯補強部材１５の重なった箇所では、貫通孔１０と貫通孔２０が連通した状態となる。
【００５１】
そして、図３に示すように、芯層部材１２が下部芯補強部材１５に重なるように配置され、まくら木小片７が下部側まくら木部材６に重なるように配置される。具体的には、まくら木小片７は、下部側まくら木部材６の端部側に端部小片１６が配置され、下部側まくら木部材６の両端に配置された端部小片１６から一定距離（下部芯補強部材１５の幅程度）離された位置に中間小片１７が配置されている。これにより、まくら木本体２の中間層４が、まくら木小片７と芯層部材１２の端部とにより隙間なく形成される。このとき、下部芯補強部材１５の突出部１５ｂの突端面が、芯層部材１２の下面に当接すると共に、芯層部材１２の貫通孔２０は、下部補強部材１５の貫通孔２０及び下部側まくら木部材６の貫通孔１０と連通した状態となり、まくら木小片７の貫通孔１０は、下部側まくら木部材６の貫通孔１０と連通した状態となる。
【００５２】
そして、図４に示すように、上部側まくら木部材５が中間層４に重なるように配置され、上部嵌合部８同士が互いに向き合った配置とされる。そして、その向き合った上部嵌合部１３同士の間に上部芯補強部材１３が配され、上部芯補強部材１３の張出部１３ａが上部嵌合部８に嵌入されて嵌合状態となる。このとき、上部芯補強部材１３の突出部１３ｂの短手側側面が、上部側まくら木部材６の長手側側面に当接すると共に、上部芯補強部材１３の突出部１３ｂの突端面が、芯層部材１２の上面と当接している。さらに、このとき、上部芯補強部材１３の貫通孔２０が、芯層部材１２の貫通孔２０及び上部側まくら木部材５の貫通孔１０と連通した状態となる。
【００５３】
そして、この状態において、それぞれの連通した貫通孔１０，２０に対して接続ピン１１が挿通されて、まくら木本体２と連結部材３とが一体的に接合される。
また、本実施形態では、連結部材３における各層の側面が積層した全ての集合側面に各層に跨るように連結補強部材２１が配される。このとき、連結補強部材２１の貫通孔２２は、連結部材３の固定穴２３と連通した状態となる。そして、この連通状態の貫通孔２２と固定穴２３に対して接続ピン２５が挿通されて、連結補強部材２１と連結部材３とが一体的に接合される。
なお、本実施形態のまくら木１では、接続ピン１１，２５に加えて、接着剤が用いられ、前記した組み立ての過程に各部材間に塗布されて接合されている。即ち、本実施形態のまくら木１は、接続ピン１１，２５と接着剤とにより強固に接合されている。
本発明における接続ピン１１，２５は、接続強度の確保と安定化が目的であり、図示した本数に限定されるものではない。
【００５４】
さらに本実施形態では、組み立てられたまくら木１の表面を被覆するガラス繊維強化プラスチック（GFRP：Grass Fiber Reinforced Plastics）による被覆層が設けられている。これにより、各部材の強度が強化されると共に、各部材の一体性が強化される。
【００５５】
従って、本実施形態のまくら木１では、まくら木本体２と連結部材３を共に３層構造とし、まくら木本体２と連結部材３とを積層方向上下からだけでなく、中間部においても連結した構造としたため、両者の一体性が強い。即ち、列車の荷重や振動により、両者の接合が崩壊してしまうことが抑制される。即ち、本実施形態のまくら木１によれば、列車の荷重や振動により、軌道が「あおり現象」を生じることが殆どない。
また、本実施形態のまくら木１では、連結部材３が接続されるまくら木本体２の上部嵌合部８、下部嵌合部９がまくら木本体２の幅方向に一部だけ切り欠いた構成であるため、まくら木本体２の接合部において、列車の荷重や振動に対抗できる有効断面を有する。即ち、まくら木本体２の接合部において、列車の荷重や振動に対抗できる曲げ剛性を備えた構成と言えるため、まくら木本体２自体が曲げ応力に対抗できる。これにより、まくら木本体２又はまくら木本体２と連結部材３との接合部で、曲げ破壊が起きる可能性が低減されるため、結果的にまくら木本体２と連結部材３との一体性の崩壊が防止される。
【００５６】
上記した実施形態では、上部芯補強部材１３及び下部芯補強部材１５における長手方向の断面がほぼ「Ｔ」字型の構成を示したが、本発明ではこれに限定されず、例えば、図７に示すように、上部芯補強部材３３及び下部芯補強部材３５が単に長尺状の板部材であっても構わない（第２実施形態のまくら木３１）。この場合、上部側まくら木部材３２や下部側まくら木部材３４に設けられる嵌合部３６を、幅方向に一部切り欠いた形状にすると共に、底部を有さない形状にする。これにより、本実施形態におけるまくら木本体は、いずれの箇所においても曲げ応力に対抗できる有効断面を備えた構成となるため、上記実施形態と同様の作用効果を得ることができる。
【００５７】
上記した実施形態では、まくら木１の上下面において、まくら木本体２と連結部材３とがほぼ同一の平面に位置するような構成を示したが、本発明はこれに限定されず、例えば、図８に示すように、下部芯補強部材４３の底部側を下部側まくら木部材４４よりも下方に突出させた構成であっても構わない（第３実施形態のまくら木４１）。具体的には、下部芯補強部材４３の厚みを下部側まくら木部材４４の厚みより大きくし、下部芯補強部材４３の底部が下部側まくら木部材４４の厚みを超えた箇所から下部側まくら木部材４４の幅方向に延びた張出形状とする。この張出部４３ａは、嵌合部が覆われる程度の長さより大きく、まくら木本体の領域を超えない範囲であれば、いかなる長さでも構わない。なお、この下部芯補強部材４３の張出部４３ａにも、上記したように貫通孔２０を設けて、まくら木本体と接合することが望ましい。これにより、連結部材とまくら木本体の一体性がより強化される。また、本実施形態のまくら木４１は、道床に敷設した際に、下部側まくら木部材４４よりも下方に突出した下部芯補強部材４３が、ストッパーの役割を果たすため、「あおり現象」が抑制される。
【００５８】
第３実施形態では、下部芯補強部材４３の下部に張出部４３ａを設けて、まくら木本体と連結部材との一体性のさらなる強化を図った構成を示したが、本発明はこれに限定されず、例えば、図９に示すように、下部芯補強部材５３に張出部を設けず、下部芯補強部材５３に沿って、耐摩耗性を備えた底面板３８を設けた構成であっても構わない（第４実施形態のまくら木５１）。これにより、まくら木５１は、第３実施形態のまくら木４１とほぼ同様の作用効果を得ることができる。なお、底面板３８には、ガラス長繊維で強化されたポリウレタン樹脂製の発泡成形体が用いられることが望ましい。
【００５９】
また、本発明のまくら木では、図１０に示すように、上部芯補強部材の上部とレールとの隙間に充填可能な耐摩耗性や防振性を備えた空間充填材３９を設けても構わない（第５実施形態のまくら木５５）。即ち、空間充填材３９を上部芯補強部材の上部に配した際に、その空間充填材３９の厚みが、レールを固定するタイプレート４９の高さとほぼ同じ大きさとなるようにされている。これにより、列車の荷重や振動によるレールの撓みが軽減されるため、まくら木に対して過負荷が掛からず、より長期に渡って使用することができると共に、列車の振動による影響が低減されるため、レール等の振動音が抑制される。
【００６０】
また、本実施形態における空間充填材３９は、まくら木本体に用いられたガラス長繊維強化プラスチック発泡体よりも比較的軟質な発泡成形体（以下、軟質ＦＦＵとも称す）のみの構成でも構わないし、この部材の上面であってレールと当接する部位に弾性を備えたゴムなどを配した構成でも構わない。
【００６１】
なお、軟質ＦＦＵは、まくら木本体に用いられたガラス長繊維強化プラスチック発泡体と比較すると、ポリオールの水酸基価や官能基数が変更されて軟質にされた部材である。そして、本実施形態における軟質ＦＦＵは、軟質にしたことで低下する強度を補強するために、まくら木本体に用いられたガラス長繊維強化プラスチック発泡体よりガラス繊維の密度が密にされている。具体的には、まくら木本体の比重が０．７４程度であるのに対して、軟質ＦＦＵは比重が０．９０〜２．００程度に設計されるものであって、より好ましくは比重が０．９３〜０．９７の範囲で設計されている。これにより、本実施形態で使用される軟質ＦＦＵは、軟質な性質を備えながら、一定の強度を維持している。
【００６２】
また、図１１、１２に示すように、本発明のまくら木では、上部芯補強部材の上部に加えて、上部側まくら木部材とレールとの間に空間充填材３９を設けても構わない。また、上部芯補強部材の上部に設けられた空間充填材３９は、図１２に示すように、複数に分割したものを採用してもよい。
また、この空間充填材３９は、連結材と固定しても良いが、連結材に対して脱着可能に取り付けた構成であっても構わない。空間充填材３９を脱着可能とした場合、レール締結装置の厚さや、列車重量の変更等に対応できるため、汎用性を高めることができる。
【００６３】
本発明のまくら木では、図１３に示すように、まくら木の底面に高摩擦性を備えた滑り止め部材４０を設けた構成であっても構わない（第６実施形態のまくら木５７）。これにより、まくら木５７は、道床に対して大きな摩擦力を備えることになるため、まくら木５７に生じ得るあおり現象等がより確実に抑制される。
また、本発明のまくら木では、まくら木の底面に、滑り止め部材４０に替えて、列車の通過の際に発生する振動を抑制する防振部材４６を設けた構成であってもよい。防振部材４６は、軟質ＦＦＵが採用されている。これにより、まくら木５７は、列車の走行による振動が低減されるため、振動音が抑制される。
【００６４】
また、本発明のまくら木は、列車の振動を低減するため、図１４、１５に示すように、空間充填材３９と防振部材４６の双方を設けた構成であってもよい。これにより、より一層、列車の振動による騒音を抑制することが可能となる。従って、空間充填材３９や防振部材４６を採用することで、街中に列車が通過するような状況であっても、振動音により、住宅環境を乱すことがない。
【００６５】
上記実施形態では、連結部材３の全ての集合側面に連結補強材２１を接合した構成を示したが、本発明はこれに限定されず、連結補強材２１を全く設けない構成であっても、一部の集合側面に連結部材２１を設ける構成であっても構わない。
【００６６】
上記実施形態では、組み立てられたまくら木の表面を被覆する被覆層を設けた構成を示したが、本発明はこれに限定されず、例えば被覆層を設けない構成であっても、被覆層をまくら木本体と連結部材のいずれか一方に設ける構成であっても構わない。
【００６７】
上記実施形態では、まくら木本体及び連結部材にガラス長繊維で強化されたポリウレタン樹脂製の発泡成形体を用いた構成を示したが、本発明はこれに限定されず、まくら木として通常用いられる木材やコンクリートを用いた構成であっても構わない。この場合、まくら木全体に被覆層を設けて、各部材の強度を強化したり、一体性を高めることが望ましい。
【００６８】
上記実施形態では、３層構造のまくら木本体及び連結部材を示した構成を示したが、本発明はこれに限定されず、一方又は双方が４層以上の構造であっても構わない。
【００６９】
上記実施形態では、長手方向が同じ長さのまくら木本体同士を連結した構成を示したが、本発明はこれに限定されず、図１７に示すように、連結するまくら木本体のうちの少なくとも１つは長手方向の長さが短い短まくら木本体６３を用いてまくら木６１を構成しても構わない。なお、まくら木６１の断面構成は、上記実施形態とほぼ同じである。
ここで、図１８に示すように、コンクリート道床には、排水等を目的とした溝６４がレールに対して斜めに交差するように形成されている場合がある。そのため、まくら木をレールの延伸方向にほぼ等間隔に配置していくと、その溝６４を横断するようにまくら木本体が敷設される場合がある。この場合、コンクリート道床に対するまくら木の固定が不安定となり、列車の荷重や振動により、まくら木が「あおり現象」を発生する懸念があった。
【００７０】
そこで、本発明では、溝６４を横断することがない程度の長さの短まくら木本体６３と、上記したまくら木本体２とを組み合わせたまくら木６１を敷設することとした。これにより、まくら木６１における短まくら木本体６３とまくら木本体２との一体性を維持しつつ、コンクリート道床に対するまくら木６１の固定状態が安定するため、「あおり現象」を防止できる。
また、図１８に示すように、短まくら木本体６３同士を向かい合わせて敷設することで、まくら木同士の間隔をほぼ一定に維持することができるため、レールの撓みによるまくら木への過負荷が低減される。
【００７１】
また、本発明において、連結部材３の芯層部材１２の長手方向長さは、少なくともまくら木本体２における幅方向の外側面まで延設される長さとされている。しかし、図１９に示すように、この芯層部材１２の長手方向長さを、まくら木本体２における幅方向外側面に至らない程度に短くして、この芯層部材１２の長手方向端面から当該外側面までの空間に中間層４を充填する構成とすることで、まくら木全体の接合強度をより向上させることができる。なお、このときの芯層部材１２の長手方向端部とまくら木本体２の幅方向外側面までの間隔は、まくら木本体２の幅に対して２／３を乗じた程度の長さが好ましい。
【符号の説明】
【００７２】
１、３１、４１、５１、５５    まくら木
２    まくら木本体
３    連結部材
４    中間層
５、３２、４２    上部側まくら木部材
６、３４、４４    下部側まくら木部材
７    まくら木片
８    上部嵌合部（嵌合部）
９    下部嵌合部（嵌合部）
１２    芯層部材
１３、３３、４３    上部芯補強部材（補強部材）
１５、３５、５３    下部芯補強部材（補強部材）
３８    底面板
３９    空間充填材
４０    滑り止め部材
４６    防振部材
【図１】
0005623851.tif 000002
【図２】
0005623851.tif 000003
【図３】
0005623851.tif 000004
【図４】
0005623851.tif 000005
【図５】
0005623851.tif 000006
【図６】
0005623851.tif 000007
【図７】
0005623851.tif 000008
【図８】
0005623851.tif 000009
【図９】
0005623851.tif 000010
【図１０】
0005623851.tif 000011
【図１１】
0005623851.tif 000012
【図１２】
0005623851.tif 000013
【図１３】
0005623851.tif 000014
【図１４】
0005623851.tif 000015
【図１５】
0005623851.tif 000016
【図１６】
0005623851.tif 000017
【図１７】
0005623851.tif 000018
【図１８】
0005623851.tif 000019
【図１９】
0005623851.tif 000020